(57)【特許請求の範囲】
【請求項１】
テープ繰り出し端にテープドライブ側の捕捉体を連結するための先導ピースが設けられており、前記先導ピースと磁気テープとが、リーダーテープとプラスチック製の連結片とを介して接続してある単リール型の磁気テープカートリッジであって、
前記連結片は、前記先導ピースの金属製のピンに掛止連結される断面優弧状の軸受部と、前記軸受部の一端に連続して延びる接合部と、前記接合部の片面に突設されるかしめ突起とを備えており、
前記リーダーテープの一端に設けた連結穴を前記かしめ突起に係合して、テープ端を前記接合部に接合した状態で、前記かしめ突起の突端を溶融変形させて、
前記リーダーテープと前記連結片とが分離不能に連結されており、
前記軸受部が前記ピンに対して相対回転可能に掛止連結されている単リール型の磁気テープカートリッジ。
【請求項２】
前記連結穴と前記かしめ突起とが、それぞれ複数個設けてある請求項１記載の単リール型の磁気テープカートリッジ。
【請求項３】
前記接合部に前記リーダーテープの厚み寸法に等しい段落面が設けられており、
前記段落面にかしめ突起が突設してある請求項１または２記載の単リール型の磁気テープカートリッジ。
【請求項４】
前記先導ピースが、金属製のピンと、前記ピンの両端に固定されて横向きに突出する上下一対の掛止アームとでコ字枠状に形成されており、前記ピンの上下方向中途部に、前記軸受部の上下方向の位置ずれを規制する複数個の段部が形成してある請求項１または２または３記載の単リール型の磁気テープカートリッジ。
【発明の詳細な説明】
【０００１】
【発明の属する技術分野】
本発明は、テープ繰り出し端に、テープを引き出し操作するための先導ピースが設けてある単リール型の磁気テープカートリッジに関する。その先導ピースは、リーダーテープを介して磁気テープと接続されるものである。
【０００２】
【従来の技術】
この種の磁気テープカートリッジは、テープの繰り出し始端に、テープドライブ側の捕捉体を連結するための連結具を設ける。例えば特開平１１−２３２８２６号公報においては、リーダーテープの端部に先導ピースを固定している。詳しくは、先導ピースを直線軸状の金属ピンで形成し、その軸部分に巻き付けたリーダーテープを、それぞれ断面Ｃ字状に形成した緩衝体とクリップとで分離不能に抱持固定している。軸部の上下両端には他の軸部分より大径の係合軸部を設けてあり、これを上下ケースの上壁および底壁に凹み形成した一対の軸受部およびばねで係合保持して、不使用時の先導ピースを待機保持している。
【０００３】
【発明が解決しようとする課題】
上記のように、緩衝体とクリップとを用いてリーダーテープを金属ピンに強固に一体化する連結構造では、リーダーテープとピンとが相対回転できないので、先導ピースが捕捉体に連結されて、テープドライブ内の複雑な移行経路を移行する際に、リーダーテープが不必要にテープガイドと擦れ合い、先導ピースがリールに装填されるまでの間のテープ抵抗が増える。また、リーダーテープを固定するために、緩衝体とクリップとを用意する必要があるので、その分だけ製造コストが嵩む。連結時には、リーダーテープを金属ピンの軸部に密着する状態で巻き付けた後、緩衝体とクリップとを軸部に対して順に外嵌装着するので、テープが先導ピースに対して傾いた状態のまま連結されてしまうおそれがある。使用途中に、リーダーテープがクリップの切開縁に接触して傷つくおそれがあり、とくに薄手のリーダーテープを用いる場合に適さない。
【０００４】
本発明の目的は、リーダーテープと先導ピースのピンとの連結構造を改良することにより、先導ピースが捕捉体と共にテープドライブ内の移行経路を移行する際のテープ抵抗を軽減できるようにした単リール型のテープカートリッジを提供することにある。本発明の目的は、リーダーテープと先導ピースとを、より簡単な構造でしかも少ない手間で常に適正に連結できるようにし、その分だけ製造コストを節約できる単リール型のテープカートリッジを提供することにある。本発明の目的は、テープを先導ピースに対して上下に位置ずれすることなく連結でき、しかも上下方向の外力が作用するような場合にも、テープがピンに対してずれ動くのを規制して、テープドライブ側の捕捉体によるテープ引き出しが常に適正に行える単リール型のテープカートリッジを提供することにある。
【０００５】
【課題を解決するための手段】
本発明の単リール型の磁気テープカートリッジは、図１および図２に示すごとくテープ繰り出し端にテープドライブ側の捕捉体Ｈを連結するための先導ピース１３が設けられている。先導ピース１３と磁気テープ３とは、リーダーテープ９とプラスチック製の連結片１０とを介して接続する。連結片１０は、先導ピース１３の金属製のピン１４に掛止連結される断面優弧状の軸受部３１と、軸受部３１の一端に連続して延びる接合部３２と、接合部３２の片面に突設されるかしめ突起３３とを備えている。リーダーテープ９の一端に設けた連結穴１１をかしめ突起３３に係合して、テープ端を接合部３２に接合した状態で、かしめ突起３３の突端を溶融変形させ、以てリーダーテープ９と連結片１０とを分離不能に連結する。軸受部３１はピン１４に対して相対回転可能に掛止連結する。
【０００６】
具体的には、上記の連結穴１１とかしめ突起３３とは、それぞれ複数個設けることができる。接合部３２には、図７に示すごとくリーダーテープ９の厚み寸法に等しい段落面３６を設け、この段落面３６にかしめ突起３３を突設することができる。先導ピース１３は、金属製のピン１４と、ピン１４の両端に固定されて横向きに突出する上下一対の掛止アーム１５とでコ字枠状に形成する。ピン１４の上下方向中途部には、軸受部３１の上下方向の位置ずれを規制する複数個の段部１４ａを形成する。
【０００７】
【発明の作用効果】
本発明では、連結片１０をプラスチック成形品とし、その接合部３２に設けたかしめ突起３３にリーダーテープ９を係合した状態でかしめ突起３３を溶融変形して、リーダーテープ９と連結片１０とを一体に連結した。また、連結片１０に設けた断面Ｃ字状の軸受部３１を、先導ピース１３のピン１４に対して相対回転可能に掛け止め連結した。このようにプラスチック製の連結片１０を介してリーダーテープ９と先導ピース１３とが連結されていると、クリップと緩衝体とを用いてリーダーテープを先導ピースに固定していた従来形式に比べて、リーダーテープ９の連結構造を簡素化できるうえ、かしめ突起３３をかしめた後、軸受部３１をピン１４に掛止するだけの簡単な操作で、リーダーテープ９と先導ピース１３とを連結できるので、リーダーテープ９の連結に要する手間が少なくて済み、その分だけ組立コストが削減できるし、リーダーテープ９をピン１４に対して常に適正な姿勢で連結できる。また、ピン１４に対して連結片１０を相対回転可能な状態で掛止連結して、先導ピース１３が捕捉体Ｈと共にテープドライブ内の移行経路を移行する際の、先導ピース１３の急激な姿勢変化を、連結片１０とピン１４とが相対回転することで吸収できるので、先導ピース１３がテープドライブ側のリールに装填されるまでの間のテープ抵抗を軽減できる。
【０００８】
連結穴１１とかしめ突起３３とをそれぞれ複数個ずつ設けた連結構造によれば、リーダーテープ９を連結片１０に対して複数個所において固定できるので、テープ引き出し時や、テープをケース本体１の内部へ収納する際に、連結片１０とリーダーテープ９とが相対揺動して両者の連結姿勢が変化するのを確実に防止でき、従って不使用時における先導ピース１３の待機姿勢を常に一定にして、テープドライブ側の捕捉体Ｈによる先導ピース１３の捕捉連結を確実化できる。
【０００９】
連結片１０の接合部３２に段落面３６を設け、そこにリーダーテープ９を接合する連結構造によれば、リーダーテープ９の接合端を接合部３２に対して面一状に連結できるので、テープ引き出し時に、リーダーテープ９の接合端が他物に引っ掛かって、反転状にめくれるのをよく防止できる。
【００１０】
金属製のピン１４と、このピン１４の両端に固定されて横向きに突出する上下一対の掛止アーム１５とでコ字枠状に形成した先導ピース１３によれば、不使用時において、一対の掛止アーム１３をケース本体１で保持することにより、先導ピース１３を常に適正な姿勢で待機保持できる。さらに、ピン１４の上下方向中途部に複数個の段部１４ａを設け、これらの段部１４ａで軸受部３１が上下方向へ位置ずれするのを規制すると、リーダーテープ９を先導ピース１３に対して上下に位置決めした状態で連結でき、しかも上下方向の外力が作用するような場合にも、連結片１０がピン１４に対してずれ動くのを規制して、全体としてテープドライブ側の捕捉体Ｈによるテープ引き出しを常に適正に行うことができる。
【００１１】
【実施例】
図１ないし図６は、本発明に係る単リール型のテープカートリッジの実施例を示す。図２において、テープカートリッジは、上下ケース１ａ・１ｂを蓋合わせ状に結合して構成した角箱状のケース本体１を有し、その内部に配置した１個のリール２に磁気テープ３が巻き込んである。ケース本体１の前面にはテープ引出口４が開口しており、これを揺動自在に軸支したドア５で開閉できる。ドア５はばねで閉じ勝手に移動付勢されており、閉止位置において図示していないロック機構でロック保持される。ケース本体１の対向する内隅の２個所には、リール２の下フランジに設けたギヤ歯と係合して、不使用時のリール２を遊転不能にロック保持するリールロック６・７が設けてある。ケース背壁の一側には、誤消去防止用の切換ピース８が設けてある。
【００１２】
リール２に巻き込んだ磁気テープ３をテープドライブの捕捉体Ｈで自動的に捕捉連結するために、磁気テープ３の繰り出し端に先導ピース１３を設け、先導ピース１３と磁気テープ３とがリーダーテープ９と連結片１０とを介して連結されている。図１において先導ピース１３は、リーダーテープ９が接続されるステンレス製のピン１４と、ピン１４の上下両端に設けた一対の掛止アーム１５とでコ字枠状に構成する。
【００１３】
ピン１４は上下に長い丸軸からなり、その上下長はリーダーテープ９の上下幅寸法より大きく設定してある。ピン１４の上下には、後述する軸受部３１の上下遊動を規制する段部１４ａを設け、両段部１４ａ間の軸部１４ｂの直径を他より小さくしている。掛止アーム１５は左右横長のプラスチック成形品からなり、その成形時にピン１４をインサート固定する。上下の掛止アーム１５はケース外面側へ向かって突弧状に湾曲形成され、掛止アーム１５の前面側に捕捉体Ｈを掛止連結するための掛止溝１６を形成する。詳しくは、各掛止アーム１５の前面に、捕捉体Ｈ用の導入案内面１７をケース後方へ向かって下り傾斜する状態で形成し、この傾斜面に連続して掛止溝１６がアーム先端側へ延びるように形成する。これにより、上下の掛止アーム１５の掛止溝１６は上下に対向する状態で開口し、さらに、その溝始端１８が掛止アーム１５のピン１４側の基部へ向かって開口することになる。
【００１４】
上下一対の掛止アーム１５の対向間隔は磁気テープ３の上下幅寸法より十分大きく設定されている。従って、磁気テープ３の移動軌跡が後述するアーム受部２１と接触干渉するのを阻止できる。各掛止溝１６の上壁あるいは下壁は、捕捉体Ｈを掛止溝１６に連結した状態における掛止ピン１９の上下位置を位置決めするのに役立つ。図４において捕捉体Ｈは、テープドライブ側のリーダーテープの端に掛止ピン１９を固定して形成してあり、図外のローディングアームで掛止ピン１９を操作することにより、その上下両端の球軸部１９ａが掛止溝１６に掛止される。
【００１５】
リーダーテープ９は、例えばポリエチレンテレフタレートやポリブチレンテレフタレートなどの弾性に富む硬質のプラスチックシートで形成してあり、その一端に連結した連結片１０を介して、先のピン１４と一体化する。そのために、リーダーテープ９の端部寄りには、図１に示すごとく円形の３個の連結穴１１が貫通状に設けられている。これら連結穴１１は、テープ端縁に沿って上下方向へ直線列状に配置する。
【００１６】
図１および図６おいて連結片１０は、プラスチック成形品からなり、前記ピン１４に掛け止め連結される断面優弧状の軸受部３１と、軸受部３１の一端に連続して延びる平坦な接合部３２と、接合部３２の外側面に突設した３個のかしめ突起３３とで構成する。軸受部３１の内面の直径寸法は、ピン１４の軸部１４ｂの直径寸法と同じか、それより僅かに大きく設定する。軸受部３１における円弧周面の遊端は、接合部３２と対向しており、両者の対向間隔は前記軸部１４ｂの直径寸法の約半分前後に設定する。
【００１７】
連結穴１１をかしめ突起３３に係合した後、かしめ突起３３の突端を加熱変形させて、変形部分を連結穴１１の周縁壁へはみ出させることにより、図６に示すごとくリーダーテープ９と連結片１０とは分離不能に連結できる。この変形部分を符号３４で示す。この後に、先導ピース１３のピン１４を軸受部３１に圧嵌して、連結片１０を先導ピース１３と連結する。連結状態における連結片１０は、ピン１４に対して自由に相対回転できる。また、軸受部３１の内径は、段部１４ａの外径値より小さいので、連結片１０は段部１４ａによって上下に位置決めされるとともに上下遊動が規制される。
【００１８】
不使用時の先導ピース１３を所定の待機姿勢で保持固定するために、図３および図４に示すように、アーム受部２１とロックピース２２とがテープ引出口４に臨むよう設けてある。アーム受部２１はケース本体１の内面上下に凹み形成する。詳しくは、テープ引出口４に臨むケース本体１の上下壁に、それぞれ低いリブを上下対向状に突設し、このリブを掛止アーム１５のケース内面側の外郭線に沿って鉤形に湾曲させて、一端がケース内方へ凹むアーム受部２１を形成する。リーダーテープ９と共に先導ピース１３をケース内部へ引き込んだ状態において、先導ピース１３はその掛止アーム１５が上下のアーム受部２１に密接する状態で受け止められて、適正に位置決め保持される（図３参照）。
【００１９】
テープ弛みが発生した状況下においても、落下衝撃に耐えて上記の位置決め姿勢を保持するために、ロックピース２２でピン１４を連結片１０を介してロック保持する。図３および図４においてロックピース２２は、ボス２３の周面から横向きに突設したロックアーム２４およびロック解除片２５とを一体に形成したプラスチック成形品からなる。ボス２３の上下端を上下ケース１ａ・１ｂで揺動自在に軸支し、さらにボス２３の下端に組み付けたばね２６でロックピース２２をロック姿勢に揺動付勢することにより、ロックアーム２４は常にケース内方へ向かって揺動付勢され、図３に示すようにロックアーム２４の先端に設けたフック部２７が、連結片１０の軸受部３１にケース外面側から係合する。このとき、ロック解除片２５はケース本体１の前壁に開口した解除ピン挿入口と正対している。
【００２０】
以上のように、不使用時の先導ピース１３を、アーム受部２１とロックピース２２とで協同して待機保持すると、先導ピース１３に作用する外部衝撃は、ロックピース２２がばね２６に抗して揺動することによって緩和吸収できるので、たとえ磁気テープ３がケース内部で弛んでいたとしても、先導ピース１３がアーム受部２１からずれ動いたり、飛び出てしまうのを防止できる。また、外部衝撃力が解消されるのと同時に、ロックピース２２は前記ばね２６の付勢力を受けて先導ピース１３をアーム受部２１側へ復帰操作し密接させるので、先導ピース１３を常に適切な待機姿勢に保持できる。
【００２１】
不使用時のドア５は、テープ引出口４を塞いで先導ピース１３の外面を覆っている。そこで、ドア５の内面には、先導ピース１３の外面側の外郭線に合致する押圧部２８を設けて、先導ピース１３のとくに掛止アーム１５の先端側がアーム受部２１から浮き離れるのを阻止できるようにしている。
【００２２】
テープカートリッジをテープドライブに装填すると、ドア５が開いてテープ引出口４を開放する。同時にリール２の遊転を阻止していた一対のリールロック６・７がロック解除される。ロックピース２２は、図５に示すようにロック解除片２５を介してフック部２７がピン１４から離れる向きにロック解除操作される。リール２は、ケース下面側からケース内へ進入するリール駆動軸と係合する。この状態でテープドライブ側の捕捉具Ｈがテープ引出口４内へ進入し、その掛止ピン１９を上下の掛止アーム１５の掛止溝１６に掛止連結して、図５に示すように先導ピース１３を介して磁気テープ３を引き出し、テープドライブ側のリールに巻き込む。磁気テープ３に対するデータの書き込みあるいは読み出しが終了したら、磁気テープ３はリール２に巻き戻され、先導ピース１３はアーム受部２１とロックピース２２とによって再び待機状態に位置決め保持される。
【００２３】
図７は連結片１０の第１の変形例を示す。そこでは、連結片１０の接合部３２に段落面３６を設け、この段落面３６にかしめ突起３３を突設した。また、軸受部３１を涙滴状に形成し、その遊端に軸受穴３１ａを設けた。涙滴状の軸受部３１はその内外中心において接合部３２と滑らかに連続している。先の段落面３６の段差寸法は、リーダーテープ９の厚み寸法と同じか、それより僅かに大きく設定する。かかる段落面３６を設けてあると、リーダーテープ９の接合端を接合部３２に対して面一状に連結できるので、テープ引き出し時に、リーダーテープ９の接合端が他物に引っ掛かってめくれたり、反転状に折り曲げ変形されることを防止できる。
【００２４】
図８は連結片１０の第２の変形例を示しており、かしめ突起３３を長円状の１個突起で形成して、リーダーテープ９と連結片１０とが連結されている。この例からも理解できるように、かしめ突起３３の形状や個数は自由に変更できる。
【００２５】
図９は連結片１０の第３の変形例を示す。そこでは、軸受部３１の上下中央に切欠３７を設け、連結片１０の上下遊動を規制する段部１４ａを、ピン１４の中央に設けた大径軸部の上下に形成した。この場合には、大径軸部をフック部２７で係合捕捉する。
【００２６】
上記の実施例以外に、かしめ突起３３は接合部３２の内側面に突設してもよい。ピン１４は角軸やだ円軸で形成することができる。先導ピース１３の構造は、実施例で説明した構造以外であってもよく、従来例で説明した先導ピースと同様に丸軸状の先導ピースであってもよい。
【図面の簡単な説明】
【図１】リーダーテープと先導ピースとの連結構造を示す正面図である。
【図２】テープカートリッジの横断平面図である。
【図３】テープ引出口の横断平面図である。
【図４】テープ引出口の縦断正面図である。
【図５】テープをケース外に引き出した状態の平面図である。
【図６】図１におけるＡ―Ａ線断面図である。
【図７】連結片の第１の変形例を示す一部破断平面図である。
【図８】連結片の第２の変形例を示す斜視図である。
【図９】連結片の第３の変形例を示す正面図である。
【符号の説明】
３  磁気テープ
９  リーダーテープ
１０  連結片
１３  先導ピース
１４  ピン
１５  掛止アーム
３１  軸受部
３２  接合部
３３  かしめ突起
【図１】
0004312936.tif 000002
【図２】
0004312936.tif 000003
【図３】
0004312936.tif 000004
【図４】
0004312936.tif 000005
【図５】
0004312936.tif 000006
【図６】
0004312936.tif 000007
【図７】
0004312936.tif 000008
【図８】
0004312936.tif 000009
【図９】
0004312936.tif 000010